(57)【要約】【課題】拡大部分と非拡大部分が浮き上がって見えるような装飾を施した軽くて細い樹脂枠部品を提供すること。【解決手段】表面が部分的又は全体的に凸状曲面を有する透明な熱可塑性樹脂よりなる眼鏡枠部品１０を基材として用い、該眼鏡部品の裏面１３にプライマー１４を塗布後、金箔１５を該裏面に散らして蒔き、その後、前記金箔を覆うように該眼鏡枠部品の裏面に、前記蒔かれた金箔とは異なった色のパール塗料１６により塗装を施し、前記金箔装飾部分が前記凸状曲面の凸レンズ効果により拡大部分と非拡大部分が角度によって変化して見えるように、且つ角度によっては浮き上がって見えるように装飾を提供する。【選択図】図２
2005128462.tif 000002
【特許請求の範囲】
【請求項１】
表面が部分的又は全体的に凸状曲面を有する透明な熱可塑性樹脂よりなる眼鏡枠部品に於いて、該眼鏡部品の裏面にプライマーを塗布後、金属箔を該裏面に散らして蒔き、その後、前記金属箔を覆うように該眼鏡枠部品の裏面に、前記蒔かれた金属箔とは異なった色の塗料により塗装を施した事を特徴とする、装飾眼鏡枠部品。
【請求項２】
表面が部分的又は全体的に凸状曲面を有する透明な熱可塑性樹脂よりなる眼鏡枠部品に於いて、該眼鏡部品の裏面にプライマーを塗布後、金属箔を該裏面に散らして蒔き、その後、前記金属箔を覆うように該眼鏡枠部品の裏面に、前記蒔かれた金属箔とは異なった色の塗料により塗装を施し、前記金属箔装飾部分が前記凸状曲面の凸レンズ効果により拡大部分と非拡大部分が角度によって変化して見えるように、又は角度によって浮き上がって見えるようにされた事を特徴とする、装飾眼鏡枠部品。
【請求項３】
前記金属箔が金箔であり、前記塗料がパール塗料であることを特徴とする請求項１又は２に記載の装飾眼鏡枠部品。
【請求項４】
前記表面が部分的又は全体的に凸状曲面を有する透明な熱可塑性樹脂の眼鏡部品が、補強用の貫通芯金を有さないテンプルであることを特徴とする、請求項１又は２に記載の装飾眼鏡枠部品。
【発明の詳細な説明】
【技術分野】
【０００１】  本発明は、特に樹脂製の装飾眼鏡枠部品に関する。
【背景技術】
【０００２】  従来の樹脂製フレームの装飾の主な方法は、（ａ）テンプル芯金に装飾性の物体をロウ付けして透明な樹脂で被覆し外側から透けて見える様にした物や、（ｂ）外側が透明な樹脂板と内側に色の付いた樹脂板を貼り合わせて二重構造とし、色の違いを表したものが提供されていた。
【発明の開示】
【発明が解決しようとする課題】
【０００３】  しかしながら、上記（ａ）の様にテンプル芯金に装飾性の物体をロウ付けして透明な樹脂で被覆し外側から透けて見えるようにした物は、フレーム自体が太く且つ重くなり、鼻、耳に負担が掛かることにより肌が擦れて赤くなってしまう。又装飾も限定された部分にしか施せない。次に（ｂ）の様に、外側が透明な樹脂板と内側に色の付いた樹脂板を貼り合わせて二重構造とし、色の違いを表したものは、フレーム自体が幅広く且つ厚くならざるを得ず、又切削等により装飾を施さねばならず非常に手間が掛かりコスト高になってしまった。又浮き上がって見えるような装飾を施す事は非常に困難であった。
【課題を解決するための手段】
【０００５】  そこで本発明に於いては、表面が部分的又は全体的に凸状曲面を有する透明な熱可塑性樹脂よりなる眼鏡枠部品を基材として用い、該眼鏡枠部品の裏面にプライマーを塗布後、金属箔を該裏面に散らして蒔き、その後、前記金属箔を覆うように該眼鏡枠部品の裏面に、前記蒔かれた金属箔とは異なった色の塗料により塗装を施し、前記金属箔装飾部分が前記凸状曲面の凸レンズ効果により拡大部分と非拡大部分が角度によって変化して見えるように、又は角度によっては浮き上がって見えるようにすることにより上記課題の解決を図った。
【発明の効果】
【０００６】  本発明の装飾眼鏡枠部品は、テンプルや他の枠部品を太く、大きく、重くすること無しに、軽くて細い部材をそのまま使用でき、外観上、すなわち他人の目から見た場合に於いては、見る角度、又は光の当たる角度が変化することにより、本発明の装飾が施された枠部品の装飾部が枠部品表面の凸状曲面の凸レンズ効果により拡大部分と非拡大部分が変化して表れ、且つ角度によっては浮き上がって見え、今迄に無い感覚の装飾効果を有する眼鏡枠部品及び眼鏡を簡単に且つ安価に提供可能となった。
【発明を実施するための最良の形態】
【０００７】  表面が部分的又は全体的に凸状曲面を有する透明な熱可塑性樹脂よりなる眼鏡枠部品に於いて、該眼鏡部品の裏面にプライマーを塗布後、金箔を該裏面に散らして蒔き、その後、前記金箔を覆うように該眼鏡枠部品の裏面に、前記蒔かれた金箔とは異なった色のパール塗料により塗装を施し、前記金箔装飾部分が前記凸状曲面の凸レンズ効果により拡大部分と非拡大部分が角度によって変化して見えるように、又は角度によっては浮き上がって見えるように装飾を実現した。
【実施例１】
【０００８】  以下、本発明を図によって詳しく説明すると、（以下、眼鏡枠部品の代表としてテンプルを持って説明する。）図１は本発明の実施例の装飾を施したテンプル１０の斜視図であって、補強用の貫通芯金を有さないテンプル１０はその表面１１が部分的又は全体的に凸状曲面１２を有する透明な熱可塑性樹脂より形成されている。該透明な熱可塑性樹脂としては、ポリアミド、ポリイミド、ポリエーテルイミド、ポリカーボネート、ポリスルフィドポリマー、ポリスルフォン、ポリエーテルケトン、等のエンジニアリングプラスチック、の内から選ばれた一つ及び／又はそれらのブレンド又はアロイが好ましい。【０００９】  図２は図１のＢ−Ｂ線断面拡大図であって、テンプル１０の表面１１は凸状曲面１２に形成されており、中心を芯金で補強してないので表面からだと裏面まではっきり透けて見えるようになっている。そして前記裏面１３にプライマー１４を塗布する（プライマーは全体的に塗布しても良い）。次に金属箔１５（好ましくは金箔）を散らすようにして蒔き、その上から該金属箔とは異なった色の塗料１６により前記金属箔の上に覆うようにして裏面全体又は部分的に塗布する。前記塗装部分がテンプルの上面１７及び下面１８に掛かっても勿論構わない。【００１０】  そして、前記塗料１６はパール系の塗料が好ましく、薄く光を通すぐらいのパール塗料を用いると、装飾部が鮮やかに際立って、浮いて見える効果が増す。又、仕上げにクリアコートを全体的に施しても良い。【００１１】  図３は図１のＢ−Ｂ線断面拡大図のテンプル１０ａの断面形状を角丸四角形にしたものあり、このように一部分が凸状になっているだけでも良く、凸レンズ効果により、金属箔装飾部１５ａはやはり拡大して見える部分と非拡大部分が、角度の変化によって現れ、且つ角度によっては浮き上がって見えることとなる。【００１２】  又、図４や図５のように断面形状が楕円形であっても良い。又テンプルの一部分の断面形状が上記凸状曲面又は球面になっていれば良い。そして、装飾部分は図３のように平面上に施されても良く、図４のように曲面上に施されてもよい。【００１３】  図６は装飾部に金箔を使用し、塗料にはパール塗料を使用した場合の説明用断面図であり、特にこの場合、装飾部である金箔１５が際立って見えるのは、光２０がパール塗料１６の板状粒子２１の多層構造により規則的な反射・透過を繰り返すことによって多重層反射が起こり、真珠光沢が発生するのと、該多重反射した光の一部が金箔を透過するのと、金箔表面の明るい金色の反射２２により、金箔１５がバックライトを受けるように際立って見える為と想像される。【００１４】  図７は、図３，４，５の矢印Ｃの位置からテンプル装飾部を見た図であり、凸レンズ効果により拡大して見える部分が当然生じてくる。又、矢印Ｆの角度から見ると上面又は下面に反射した装飾部の虚像が残り浮き上がって見えるような効果を呈する。このような効果は従来の芯金を貫通した樹脂製のテンプルでは得られなかったものである。そして、このような効果があるにも拘らず、従来よりもずっと軽く細いテンプルですむこととなる。したがって、装着者の耳又は鼻とか、体への負担も少なくなる。
【図面の簡単な説明】
【００１５】
【図１】本発明の装飾を施した眼鏡枠部品（テンプル）
【図２】図１のＢ−Ｂ断面拡大図
【図３】図１の他の変化例のＢ−Ｂ拡大断面図
【図４】図１の他の変化例のＢ−Ｂ拡大断面図
【図５】図１の他の変化例のＢ−Ｂ拡大断面図
【図６】本発明の装飾部の説明用拡大断面図
【図７】図２の矢印Ｃから見たテンプル正面図
【図８】図２の矢印Ｆから見たテンプル正面図
【符号の説明】
１０  テンプル（眼鏡枠部品）
１１  テンプル表面
１２  テンプル表面凸状曲面
１３  テンプル裏面
１４  プライマー層
１５  装飾部
１６  塗料層
１７  テンプル上面
１８  テンプル下面
２０  入射光
２１  板状粒子
２２  金箔の反射光
【図１】
2005128462.tif 000003
【図２】
2005128462.tif 000004
【図３】
2005128462.tif 000005
【図４】
2005128462.tif 000006
【図５】
2005128462.tif 000007
【図６】
2005128462.tif 000008
【図７】
2005128462.tif 000009
【図８】
2005128462.tif 000010